(57)【要約】【課題】  ユーザ固有の使用形態に適した機能の携帯電話機にチューニングすることができる携帯電話機の機能更新方法および携帯電話機を提供すること。【解決手段】  携帯電話機の機能更新サーバにアクセスし、自携帯電話機の機能を更新するための専用のアプリケーションプログラムを取得するステップと、前記専用のアプリケーションプログラムのよって機能更新サーバにアクセスし、自携帯電話機の機能を更新可能な各機能のメモリ使用量を含む機能一覧を取得し、表示手段に表示させるステップと、表示された機能一覧の中でユーザによる更新対象の機能の選択操作を受付け、残りメモリ量が不足していない状態にした後にユーザが選択した機能を特定する識別情報を含む機能更新要求を機能更新サーバに送信するステップと、機能更新サーバから当該機能更新要求に対応する機能のアプリケーションプログラムを受信し、自携帯電話機の機能を更新するステップとを備える。【選択図】        図４
2005236507.tif 000002
【特許請求の範囲】
【請求項１】
音声およびデータの送受信手段と、電話帳とその登録処理などの機能を実現するアプリケーションプログラムを記憶した記憶手段と、登録された電話帳の一覧などを表示する表示手段とを備えた携帯電話機の機能を更新する方法であって、
前記データの送受信手段を介して携帯電話機の機能更新サーバにアクセスし、自携帯電話機の機能を更新するための専用のアプリケーションプログラムを取得し、前記記憶手段に記憶させる第１のステップと、
前記記憶手段に記憶させた前記専用のアプリケーションプログラムを起動し、前記機能更新サーバにアクセスし、自携帯電話機の機能を更新可能な各機能のメモリ使用量を含む機能一覧を取得し、前記表示手段に表示させる第２のステップと、
表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に既存の機能のアプリケーションプログラムの削除操作を指示し、残りメモリ量が不足していない状態において前記ユーザが選択した機能を特定する識別情報を含む機能更新要求を前記機能更新サーバに送信する第３のステップと、
前記機能更新要求に対して前記機能更新サーバから当該機能更新要求に対応する機能のアプリケーションプログラムを受信し、前記記憶手段に記憶させ、自携帯電話機の機能を更新する第４のステップと
を備えたことを特徴とする携帯電話機の機能更新方法。
【請求項２】
前記第２のステップにおいて、更新可能な機能一覧には、それぞれの機能の購入代金が含まれていることを特徴とする請求項１に記載の携帯電話機の機能更新方法。
【請求項３】
前記第３のステップにおいて、前記機能更新要求の中に携帯電話機のユーザの個人情報を含めて送信し、前記機能更新サーバに接続された認証機関により個人認証を受けることを特徴とする請求項１または２に記載の携帯電話機の機能更新方法。
【請求項４】
音声およびデータの送受信手段と、電話帳とその登録処理などの機能を実現するアプリケーションプログラムおよび自携帯電話機の機能を更新するための専用のアプリケーションプログラムを記憶した記憶手段と、登録された電話帳の一覧などを表示する表示手段とを備えた携帯電話機の機能を更新する方法であって、
前記記憶手段に記憶された前記専用のアプリケーションプログラムを起動し、前記データの送受信手段を介して携帯電話機の機能更新サーバにアクセスし、自携帯電話機の機能を更新可能な各機能のメモリ使用量を含む機能一覧を取得し、前記表示手段に表示させる第１のステップと、
表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に既存の機能のアプリケーションプログラムの削除操作を指示し、残りメモリ量が不足していない状態において前記ユーザが選択した機能を特定する識別情報を含む機能更新要求を前記機能更新サーバに送信する第２のステップと、
前記機能更新要求に対して前記機能更新サーバから当該機能更新要求に対応する機能のアプリケーションプログラムを受信し、前記記憶手段に記憶させ、自携帯電話機の機能を更新する第３のステップと
を備えたことを特徴とする携帯電話機の機能更新方法。
【請求項５】
前記第１のステップにおいて、更新可能な機能一覧には、それぞれの機能の購入代金が含まれていることを特徴とする請求項４に記載の携帯電話機の機能更新方法。
【請求項６】
前記第２のステップにおいて、前記機能更新要求の中に携帯電話機のユーザの個人情報を含めて送信し、前記機能更新サーバに接続された認証機関により個人認証を受けることを特徴とする請求項４または５に記載の携帯電話機の機能更新方法。
【請求項７】
音声およびデータの送受信手段と、電話帳とその登録処理などの機能を実現するアプリケーションプログラムを記憶した記憶手段と、登録された電話帳の一覧などを表示する表示手段とを備えた携帯電話機であって、
前記データの送受信手段を介して携帯電話機の機能更新サーバにアクセスし、自携帯電話機の機能を更新するための専用のアプリケーションプログラムを取得し、前記記憶手段に記憶させる第１の手段と、
前記記憶手段に記憶された機能の一覧を前記表示手段に表示させ、表示された機能のうちユーザによって選択された機能に対応するアプリケーションを前記記憶手段から削除する、前記専用のアプリケーションプログラム内に組み込まれた第２の手段と、
前記機能更新サーバにアクセスし、自携帯電話機の機能を更新可能な各機能のメモリ使用量を含む機能一覧を取得し、前記表示手段に表示させる、前記専用のアプリケーションプログラム内に組み込まれた第３の手段と、
表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に前記第２の手段による既存の機能のアプリケーションプログラムの削除操作を指示し、残りメモリ量が不足していない状態において前記ユーザが選択した機能を特定する識別情報を含む機能更新要求を前記機能更新サーバに送信する、前記専用のアプリケーションプログラム内に組み込まれた第４の手段と、
前記機能更新要求に対して前記機能更新サーバから当該機能更新要求に対応する機能のアプリケーションプログラムを受信し、前記記憶手段に記憶させ、自携帯電話機の機能を更新する第５の手段と
を備えたことを特徴とする携帯電話機。
【請求項８】
前記第３の手段によって前記表示手段に表示される更新可能な機能一覧には、それぞれの機能の購入代金が含まれていることを特徴とする請求項７に記載の携帯電話機。
【請求項９】
前記第４の手段は、前記機能更新要求の中に前記機能更新サーバに接続された認証機関により個人認証を受けるための携帯電話機のユーザの個人情報を含めて送信することを特徴とする請求項７〜８のいずれか一項に記載の携帯電話機。
【請求項１０】
前記記憶手段に記憶された各機能のアプリケーションプログラムの使用回数を計数管理し、ユーザによる参照操作に応じて前記表示手段に表示させる、前記専用のアプリケーションプログラム内に組み込まれた第６の手段をさらに備えることを特徴とする請求項７〜９のいずれか一項に記載の携帯電話機。
【請求項１１】
音声およびデータの送受信手段と、電話帳とその登録処理などの機能を実現するアプリケーションプログラムおよび自携帯電話機の機能を更新するための専用のアプリケーションプログラムを記憶した記憶手段と、登録された電話帳の一覧などを表示する表示手段とを備えた携帯電話機であって、
前記記憶手段に記憶された前記専用のアプリケーションプログラムを起動し、前記データの送受信手段を介して携帯電話機の機能更新サーバにアクセスし、自携帯電話機の機能を更新可能な各機能のメモリ使用量を含む機能一覧を取得し、前記表示手段に表示させる、前記専用のアプリケーションプログラム内に組み込まれた第１の手段と、
前記記憶手段に記憶された機能の一覧を前記表示手段に表示させ、表示された機能のうちユーザによって選択された機能に対応するアプリケーションを前記記憶手段から削除する、前記専用のアプリケーションプログラム内に組み込まれた第２の手段と、
表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に前記第２の手段による既存の機能のアプリケーションプログラムの削除操作を指示し、残りメモリ量が不足していない状態において前記ユーザが選択した機能を特定する識別情報を含む機能更新要求を前記機能更新サーバに送信する、前記専用のアプリケーションプログラム内に組み込まれた第３の手段と、
前記機能更新要求に対して前記機能更新サーバから当該機能更新要求に対応する機能のアプリケーションプログラムを受信し、前記記憶手段に記憶させ、自携帯電話機の機能を更新する第４の手段と
を備えたことを特徴とする携帯電話機。
【請求項１２】
前記第１の手段によって前記表示手段に表示される更新可能な機能一覧には、それぞれの機能の購入代金が含まれていることを特徴とする請求項１１に記載の携帯電話機。
【請求項１３】
前記第３の手段は、前記機能更新要求の中に前記機能更新サーバに接続された認証機関により個人認証を受けるための携帯電話機のユーザの個人情報を含めて送信することを特徴とする請求項１１〜１２のいずれか一項に記載の携帯電話機。
【請求項１４】
前記記憶手段に記憶された各機能のアプリケーションプログラムの使用頻度を計数管理し、ユーザによる参照操作に応じて前記表示手段に表示させる、前記専用のアプリケーションプログラム内に組み込まれた第５の手段をさらに備えることを特徴とする請求項１１〜１３のいずれか一項に記載の携帯電話機。
【発明の詳細な説明】
【技術分野】
【０００１】
本発明は、携帯電話機の各種機能を任意に更新する方法および携帯電話機に関するものである。
【背景技術】
【０００２】
従来、携帯電話機には購入時において、電話帳登録機能、メール送信機能、着信履歴管理機能などのさまざまな機能が搭載されているが、それらの機能は非常に多岐にわたっており、すべてのユーザが自己の所有する携帯電話機の全ての機能を把握し、使いこなすことは非常に困難になっている。したがって、実際に搭載されている機能のすべてを利用しているユーザは少数であり、それだけの機能を備えた携帯電話機を所有していても、通常利用する機能は非常に限られているのが現状である。
また一方、数多くの機能を搭載しながらも各ユーザが利用したい機能が欠けていることもある。しかし、現状では各ユーザにとって不必要な機能であっても削除したり、また必要な機能を追加することはできない。
携帯電話機に種々の機能を実現するためのアプリケーションプログラムをダウンロードして実行することは、下記特許文献１にあるように、知られている。
【特許文献１】特開２００２−２０４３０６号公報
【発明の開示】
【発明が解決しようとする課題】
【０００３】
しかし、上記特許文献１に開示された技術にあっては、携帯電話機に種々の機能を実現するためのアプリケーションプログラムをダウンロードできるものの、必要としなくなった機能を容易に削除することについて考慮されていない。
このため、必要としなくなった不要な機能が蓄積され、ユーザ固有の使用形態に適した機能の携帯電話機にチューニングすることができないという問題がある。
【０００４】
本発明の目的は、ユーザ固有の使用形態に適した機能の携帯電話機にチューニングすることができる携帯電話機の機能更新方法および携帯電話機を提供することにある。
【課題を解決するための手段】
【０００５】
上記目的を達成するために、本発明に係る方法は、音声およびデータの送受信手段と、電話帳とその登録処理などの機能を実現するアプリケーションプログラムを記憶した記憶手段と、登録された電話帳の一覧などを表示する表示手段とを備えた携帯電話機の機能を更新する方法であって、
前記データの送受信手段を介して携帯電話機の機能更新サーバにアクセスし、自携帯電話機の機能を更新するための専用のアプリケーションプログラムを取得し、前記記憶手段に記憶させる第１のステップと、前記記憶手段に記憶させた前記専用のアプリケーションプログラムを起動し、前記機能更新サーバにアクセスし、自携帯電話機の機能を更新可能な各機能のメモリ使用量を含む機能一覧を取得し、前記表示手段に表示させる第２のステップと、表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に既存の機能のアプリケーションプログラムの削除操作を指示し、残りメモリ量が不足していない状態において前記ユーザが選択した機能を特定する識別情報を含む機能更新要求を前記機能更新サーバに送信する第３のステップと、前記機能更新要求に対して前記機能更新サーバから当該機能更新要求に対応する機能のアプリケーションプログラムを受信し、前記記憶手段に記憶させ、自携帯電話機の機能を更新する第４のステップとを備えたことを特徴とする。
また、前記第２のステップにおいて、更新可能な機能一覧には、それぞれの機能の購入代金が含まれていることを特徴とする。
また、前記第３のステップにおいて、前記機能更新要求の中に携帯電話機のユーザの個人情報を含めて送信し、前記機能更新サーバに接続された認証機関により個人認証を受けることを特徴とする。
【０００６】
また、音声およびデータの送受信手段と、電話帳とその登録処理などの機能を実現するアプリケーションプログラムおよび自携帯電話機の機能を更新するための専用のアプリケーションプログラムを記憶した記憶手段と、登録された電話帳の一覧などを表示する表示手段とを備えた携帯電話機の機能を更新する方法であって、
前記記憶手段に記憶された前記専用のアプリケーションプログラムを起動し、前記データの送受信手段を介して携帯電話機の機能更新サーバにアクセスし、自携帯電話機の機能を更新可能な各機能のメモリ使用量を含む機能一覧を取得し、前記表示手段に表示させる第１のステップと、表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に既存の機能のアプリケーションプログラムの削除操作を指示し、残りメモリ量が不足していない状態において前記ユーザが選択した機能を特定する識別情報を含む機能更新要求を前記機能更新サーバに送信する第２のステップと、前記機能更新要求に対して前記機能更新サーバから当該機能更新要求に対応する機能のアプリケーションプログラムを受信し、前記記憶手段に記憶させ、自携帯電話機の機能を更新する第３のステップとを備えたことを特徴とする。
また、前記第１のステップにおいて、更新可能な機能一覧には、それぞれの機能の購入代金が含まれていることを特徴とする方法。
また、前記第２のステップにおいて、前記機能更新要求の中に携帯電話機のユーザの個人情報を含めて送信し、前記機能更新サーバに接続された認証機関により個人認証を受けることを特徴とする法。
【０００７】
本発明に係る携帯電話機は、音声およびデータの送受信手段と、電話帳とその登録処理などの機能を実現するアプリケーションプログラムを記憶した記憶手段と、登録された電話帳の一覧などを表示する表示手段とを備えた携帯電話機であって、
前記データの送受信手段を介して携帯電話機の機能更新サーバにアクセスし、自携帯電話機の機能を更新するための専用のアプリケーションプログラムを取得し、前記記憶手段に記憶させる第１の手段と、前記記憶手段に記憶された機能の一覧を前記表示手段に表示させ、表示された機能のうちユーザによって選択された機能に対応するアプリケーションを前記記憶手段から削除する、前記専用のアプリケーションプログラム内に組み込まれた第２の手段と、前記機能更新サーバにアクセスし、自携帯電話機の機能を更新可能な各機能のメモリ使用量を含む機能一覧を取得し、前記表示手段に表示させる、前記専用のアプリケーションプログラム内に組み込まれた第３の手段と、表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に前記第２の手段による既存の機能のアプリケーションプログラムの削除操作を指示し、残りメモリ量が不足していない状態において前記ユーザが選択した機能を特定する識別情報を含む機能更新要求を前記機能更新サーバに送信する、前記専用のアプリケーションプログラム内に組み込まれた第４の手段と、前記機能更新要求に対して前記機能更新サーバから当該機能更新要求に対応する機能のアプリケーションプログラムを受信し、前記記憶手段に記憶させ、自携帯電話機の機能を更新する第５の手段とを備えたことを特徴とする。
また、前記第３の手段によって前記表示手段に表示される更新可能な機能一覧には、それぞれの機能の購入代金が含まれていることを特徴とする。
また、前記第４の手段は、前記機能更新要求の中に前記機能更新サーバに接続された認証機関により個人認証を受けるための携帯電話機のユーザの個人情報を含めて送信することを特徴とする。
また、前記記憶手段に記憶された各機能のアプリケーションプログラムの使用回数を計数管理し、ユーザによる参照操作に応じて前記表示手段に表示させる、前記専用のアプリケーションプログラム内に組み込まれた第６の手段をさらに備えることを特徴とする。
【０００８】
また、音声およびデータの送受信手段と、電話帳とその登録処理などの機能を実現するアプリケーションプログラムおよび自携帯電話機の機能を更新するための専用のアプリケーションプログラムを記憶した記憶手段と、登録された電話帳の一覧などを表示する表示手段とを備えた携帯電話機であって、
前記記憶手段に記憶された前記専用のアプリケーションプログラムを起動し、前記データの送受信手段を介して携帯電話機の機能更新サーバにアクセスし、自携帯電話機の機能を更新可能な各機能のメモリ使用量を含む機能一覧を取得し、前記表示手段に表示させる、前記専用のアプリケーションプログラム内に組み込まれた第１の手段と、前記記憶手段に記憶された機能の一覧を前記表示手段に表示させ、表示された機能のうちユーザによって選択された機能に対応するアプリケーションを前記記憶手段から削除する、前記専用のアプリケーションプログラム内に組み込まれた第２の手段と、表示された機能一覧の中でユーザによる更新対象の機能の選択操作を受付け、選択された機能が必要とするメモリ使用量と前記記憶手段の残りメモリ量とを比較し、残りメモリ量が不足している場合には既存の機能の使用状況を表示して残りメモリ量が不足しない状態に前記第２の手段による既存の機能のアプリケーションプログラムの削除操作を指示し、残りメモリ量が不足していない状態において前記ユーザが選択した機能を特定する識別情報を含む機能更新要求を前記機能更新サーバに送信する、前記専用のアプリケーションプログラム内に組み込まれた第３の手段と、前記機能更新要求に対して前記機能更新サーバから当該機能更新要求に対応する機能のアプリケーションプログラムを受信し、前記記憶手段に記憶させ、自携帯電話機の機能を更新する第４の手段とを備えたことを特徴とする。
また、前記第１の手段によって前記表示手段に表示される更新可能な機能一覧には、それぞれの機能の購入代金が含まれていることを特徴とする。
また、前記第３の手段は、前記機能更新要求の中に前記機能更新サーバに接続された認証機関により個人認証を受けるための携帯電話機のユーザの個人情報を含めて送信することを特徴とする。
また、前記記憶手段に記憶された各機能のアプリケーションプログラムの使用頻度を計数管理し、ユーザによる参照操作に応じて前記表示手段に表示させる、前記専用のアプリケーションプログラム内に組み込まれた第５の手段をさらに備えることを特徴とする。
【発明の効果】
【０００９】
本発明によれば、ユーザが新たに必要としている機能を追加またはバージョンアップする際に、記憶手段のメモリ容量をチェックし、残りメモリ容量が不足している場合には、既存の機能の使用状況を表示し、その使用状況により例えば使用回数の少ない機能を削除させ、その削除の後に新たな機能のアプリケーションプログラムをダウンロードするため、ダウンロードを繰り返し行ったとしても不要な機能が蓄積されてしまうことが防止され、ユーザ固有の使用形態に適した機能の携帯電話機にチューニングすることができる。
これにより、新規発売時には電話帳の登録機能などの最低限必要な機能のみを搭載した携帯電話機を用意しておけばよくなり、新規発売の携帯電話機の価格の高騰を抑止することも可能になる。
【発明を実施するための最良の形態】
【００１０】
以下、本発明を実施する場合の一形態の図面を参照して具体的に説明する。
図１は、本発明の実施の一形態を示すシステム構成図である。
図１の実施形態に示すシステムは、携帯電話機１００、機能更新サーバ１１０、クレジットカード会社サーバ１１１から構成され、携帯電話機１００のメモリ１０１内に機能更新サーバ１１０から本発明を実施する専用アプリケーションプログラム（以下、専用アプリケーション）１０３をダウンロードし、その専用アプリケーションを用いて機能の追加やバージョンアップなどの更新を行うように構成されている。
携帯電話１００は、メモリ１０１を備え、このメモリ１０１内には最低限必要な機能（例えば電話帳登録機能や機能更新サーバ１１０にアクセスする機能など）のアプリケーションが予め記憶されている。また、現在記憶されている機能の使用回数などを管理する機能テーブル１０２が記憶されている。
なお、携帯電話機１００の構成については、本発明を説明するうえで必要な部分のみを図示し、通話やデータの送受信部、液晶表示部、ダイヤルキーなどについては図示を省略している。
【００１１】
機能テーブル１０２は、図２に示すように、携帯電話機１００に既に登録（記憶）されている各機能名２０１、各機能毎の使用回数２０２、各機能を機能更新サーバ１１０からダウンロードした時のダウンロード日時２０３、各機能が使用しているメモリ量２０４で構成され、機能名２０１で示される各機能が使用される度に、使用回数２０２が更新される。この機能テーブル１０２の登録内容は使用回数またはダウンロード日時により、昇順、降順にソートして携帯電話機１００の液晶表示部（図示せず）に表示可能になっている。
メモリ１０１には、携帯電話機１００の機能を更新するための専用のアプリケーションプログラム（以下、専用アプリケーション）１０３を機能更新サーバ１１０からダウンロードして記憶可能なようになっている。
専用アプリケーション１０３は、個人情報登録部１０４、機能・更新代金一覧表示部１０５、個人情報・機能送信部１０６、機能使用状況参照部１０７で構成されている。
一方、機能更新サーバ１１０は、携帯電話機の機種毎の機能一覧・金額管理部１０８、クレジット認証依頼部１０９から構成される。
【００１２】
専用アプリケーション１０３を起動して所望の機能のアプリケーションを更新（追加またはバージョンアップ）する際には、ユーザ（所有者）の名前、電話番号、住所、クレジット番号などの個人情報を携帯電話機１００の入力手段（図示せず）から入力し、個人情報登録部１０４に登録する。
次に、専用アプリケーション１０３から機能更新サーバ１１０に対し自携帯電話機の機種名やキャリア名を送信し、更新可能な機能一覧およびそれぞれの機能の更新代金の開示要求を行う。この要求を受けた機能更新サーバ１１０では、要求元の携帯電話機で使用可能な機能一覧（各機能の更新代金、メモリ使用量を含む）を機能一覧・金額管理部１０８から取得し、要求元の携帯電話機１００に返信する。
更新可能な機能一覧を受信した携帯電話機１００では、受信内容を機能・更新代金一覧表示部１０５により液晶表示部（図示せず）表示させる。
ユーザは表示された機能一覧を参照して更新したい機能を選択する。専用アプリケーション１０３の個人情報・機能送信部１０６は、選択された機能を特定する識別情報、ユーザの個人情報を含む更新要求を機能更新サーバ１１０に送信する。それを受けた機能更新サーバ１１０では、クレジット認証依頼部１０９にて個人情報と機能毎の更新代金をクレジットサービス会社サーバ１１０に送信する。それを受けたクレジットサービス会社サーバ１１０では、クレジットサービス会社サーバ１１１内に登録されている情報と比較を行い、認証ＯＫであれば機能更新サーバ１１０に認証結果がＯＫである旨を通知する。
【００１３】
個人認証がＯＫである旨の通知を受けた機能更新サーバ１１０は、要求元の携帯電話機１００に対して要求された機能を実現するためのアプリケーションをダウンロードする。
この場合、携帯電話機１００では、ユーザが選択した機能が必要とするメモリ容量とメモリ１０１の残り容量とを比較し、残りメモリ容量が不足している場合には、その旨を表示し、かつ既存の機能の使用回数などの使用状況を表示する。すなわち、専用アプリケーション１０３の機能使用状況参照部１０７によって機能テーブル１０２の記憶内容を表示させ、使用回数の少ない機能、または必要としない機能をメモリ１０１内から削除するように指示し、残りメモリ容量が不足しない状態にする。専用アプリケーション１０３は、残りメモリ容量が不足していない状態になったならば、更新要求を機能更新サーバ１１０に送信する。
なお、クレジットサービス会社サーバ１１１は認証ＯＫの時点で携帯電話機１００に対して、購入代金を含む詳細な明細を電子メールで送信する。
【００１４】
図３は、メモリ１０１に既に登録されている機能を削除する処理の流れを示すフローチャートである。
携帯電話機１００内ではメモリ１０１に登録された何れかの機能が使用される度に、メモリ１０１内の機能テーブル１０２内の使用回数２０２を更新する（ステップ３０１）。
ユーザは、登録されている複数の機能のうち必要としなくなった機能を削除する場合、専用アプリケーション１０３の機能使用状況参照部１０７を起動し、機能テーブル１０２の登録内容を取得し、その登録内容を携帯電話機１００の液晶表示部（図示せず）に表示させる（ステップ３０２，３０３）。
ユーザは、表示された機能テーブル１０２の登録内容のうち必要としなくなった機能名を選択し、削除操作を行う。
この削除操作によって、専用アプリケーション１０３によって削除対象となった機能が削除される。
この場合、専用アプリケーション１０３から削除対象となった機能の識別情報を含む削除依頼が携帯電話機１００の制御プログラムに送り、ユーザが選択した機能を削除させるように構成することもできる（ステップ３０４）。
【００１５】
図４は、新たな機能を追加、または既存の機能をバージョンアップする場合の処理の流れを示すフローチャートである。
新たな機能を追加、または既存の機能をバージョンアップする場合、まず、専用アプリケーション１０３を起動し、機能更新サーバ１１０に対して機種名、キャリア名を送信する（ステップ４０１）。すると、機能更新サーバ１１０は機能一覧・金額管理部１０８からユーザが使用中の携帯電話機１００で更新可能な機能および更新代金、メモリ使用量の一覧を取得し、要求元の携帯電話機１００に送信する（ステップ４０２）。
携帯電話機１００の専用アプリケーション１０３は、受信した一覧と自携帯電話機１００に既に搭載されている機能と比較し、追加またはバージョンアップ可能な機能のみを液晶表示部に一覧表示する（ステップ４０３）。
ユーザは表示された内容を参照し、追加またはバージョンアップしたい機能を選択する（ステップ４０４）。
【００１６】
専用アプリケーション１０３は、ユーザによる選択後に、選択された機能が使用するメモリ容量と携帯電話機１００の残りのメモリ容量とを比較する（ステップ４０５）。その結果、残りメモリ容量が不足している場合には、その旨を液晶表示部に表示し、既存の機能の何れかを削除するように指示する。具体的には、残りメモリ容量が不足している旨のメッセージと、機能テーブル１０２の登録内容（機能名、使用回数、ダウンロード日時、メモリ使用量）を表示する（ステップ４０６）。
そこで、ユーザは表示された内容を参照し、必要としなくなった機能を削除する操作を行う（ステップ４０７）。この削除操作においては図３の処理が使用される。
削除操作により、残りメモリ容量の不足状態が解消された場合、あるいは残りメモリ容量が不足していない場合には、専用アプリケーション１０３は、機能更新サーバ１１０に対して、ユーザステップ４０４で選択した機能の送信要求を行う（ステップ４０８）。
この送信要求の中には、ユーザが選択した機能を特定する識別情報と個人情報登録部１０４に事前に登録されている当該ユーザの個人情報が付加されている。
【００１７】
機能の更新要求を受信した機能更新サーバ１１０は、クレジット認証依頼部１０９を起動し、クレジットサービス会社サーバ１１１に対してユーザが選択した機能の更新代金と個人情報を送信する（ステップ４０９）。
クレジットサービス会社サーバ１１１は、予め登録されている情報と機能更新サーバ１１０から受信した個人情報を照合し、予め登録されているユーザであれば個人認証ＯＫとする。さらに必要に応じて更新代金と使用可能な残高とを照合し、使用可能な残高が更新代金より多い場合のみ個人認証ＯＫとする（ステップ４１０）。そして、その結果を機能更新サーバ１１０に送信する。
機能更新サーバ１１０は、個人認証がＯＫであれば、携帯電話機１００のユーザが選択した機能のアプリケーションを要求元の携帯電話機１００に送信し、ＯＫでなければ、送信不可能である旨のメッセージを送信する（ステップ４１１）。
【００１８】
なお、上記の実施形態において、専用アプリケーション１０３は初期状態からメモリ１０１に記憶させておくこともできる。この場合には、専用アプリケーション１０３をダウンロードする手順は不要になる。
また、クレジット会社サーバ１１１でクレジットカードによる個人認証を行うようにしているが、銀行などの金融機関あるいは個人認証専用機関により個人認証を行う方法を採用することもできる。
【図面の簡単な説明】
【００１９】
【図１】本発明の実施の一形態を示すシステム構成図である。
【図２】携帯電話機内の機能テーブルの構成例を示す図である。
【図３】機能削除を行う処理の流れを示すフローチャートである。
【図４】機能更新手順を示すフローチャートである。
【符号の説明】
【００２０】
１００  携帯電話機
１０１  メモリ
１０２  機能テーブル
１０３  専用アプリケーション
１０４  個人情報登録部
１０５  機能・金額一覧表示部
１０６  個人情報・機能送信部
１０７  機能・使用状況参照部
１０８  携帯機種毎の機能一覧・金額管理部
１０９  クレジット認証依頼部
１１０  サーバ
１１１  クレジットサービス会社サーバ
【図１】
2005236507.tif 000003
【図２】
2005236507.tif 000004
【図３】
2005236507.tif 000005
【図４】
2005236507.tif 000006